(57)【要約】      （修正有）【課題】石炭火力発電所から出る焼却石炭灰の処理システムを提供する。【解決手段】無端状の軌道２の上を駆動装置によって一方向に移動され周回するもので焼却石炭灰とセメントを投入するために上部開口している型枠４と、該型枠の中に投入され混連された焼却石炭灰とセメントとの塊５が固まる前に該塊を細分化する目地切り板６と、前記目地切り板を前記型枠に上部開口から装着する目地切り板装着装置７と、該目地切り板装着装置から所要間隔を置いて配設され前記軌道上における型枠中の目地切り板を取り出す目地切り板取出し装置８と、前記型枠の中の細分化された塊を前記型枠中から取り出す塊取出し装置９と、該塊取出し装置で型枠中から取り出され塊を破砕する破砕装置１０と、該破砕装置で細分化された塊を建屋の中から外に運び出すコンベア装置１１とからなる。【選択図】図１
0003169957.tif 000002
【実用新案登録請求の範囲】
【請求項１】
無端状の軌道の上を駆動装置によって一方向に移動され周回するもので焼却石炭灰とセメントを投入するために上部開口している型枠と、
前記型枠の中に投入され混連された焼却石炭灰とセメントとの塊が固まる前に該塊を細分化する目地切り板と、  
前記目地切り板を前記型枠に上部開口から装着する目地切り板装着装置と、
前記目地切り板装着装置から所要間隔を置いて配設され前記軌道上における型枠中の目地切り板を取り出す目地切り板取出し装置と、  
前記型枠の中の細分化された小塊を前記型枠中から取り出す塊取出し装置と、
前記塊取出し装置で型枠中から取り出された小塊を破砕する破砕装置と、
前記破砕装置で破砕された塊を建屋の中から外に運び出すコンベア装置とからなること、
を特徴とする焼却石炭灰の処理システム。
【請求項２】
目地切り板は、上から下に向かって尖った楔状の仕切り板が格子状に形成されてなり、該格子状の仕切り板の上部には当該仕切り板に振動を付与する振動装置が設けられていること、
を特徴とする請求項１に記載の焼却石炭灰の処理システム。
【請求項３】
仕切り板は、少なくとも塊に接する部分の一部が弾性材で形成されて、気体若しくは液体の充填によって膨張すること、
を特徴とする請求項２に記載の焼却石炭灰の処理システム。
【考案の詳細な説明】
【技術分野】
【０００１】
本考案は、石炭火力発電所から出る焼却石炭灰の処理システムに関するものである。
【背景技術】
【０００２】
従来、火力発電所などにおいて出される焼却石炭灰の処理は、例えば、従来例１：大きな穴を掘り底に埋めていく方法があり、また、従来例２：コンクリートや鉄製の枠の中に流し込んで固め、ブレーカ等の重機で割り、型枠から取り出してショベルやダンプカーで運び破砕機に投入して篩にかけて、大きな塊を再び破砕機に戻して砕くことを繰り返す方法等である。そのほか、産廃の再利用として、例えば、特許文献１に記載された、産廃物としての石炭灰を原料として使用できるように処理したセメント系断熱材が知られている。
【先行技術文献】
【特許文献】
【０００３】
【特許文献１】特開２００４−２４５３５１号公報
【考案の概要】
【考案が解決しようとする課題】
【０００４】
しかし、従来の焼却石炭灰の処理システムは、前記焼却石炭灰は産廃扱いなので処理を屋内で行う必要があり、大規模な土地・建屋が必要であり、更に、運搬・処理用の重機・機械等の設備が必要となってコストが嵩み、排気ガスが増加するなどの課題がある。本考案に係る焼却石炭灰の処理システムは、このような課題を解決するために提案されたものである。
【課題を解決するための手段】
【０００５】
本考案に係る焼却石炭灰の処理システムの上記課題を解決して目的を達成するための要旨は、無端状の軌道の上を駆動装置によって一方向に移動され周回するもので焼却石炭灰とセメントを投入するために上部開口している型枠と、前記型枠の中に投入され混連された焼却石炭灰とセメントとの塊が固まる前に該塊を細分化する目地切り板と、前記目地切り板を前記型枠に上部開口から装着する目地切り板装着装置と、前記目地切り板装着装置から所要間隔を置いて配設され前記軌道上における型枠中の目地切り板を取り出す目地切り板取出し装置と、前記型枠の中の細分化された小塊を前記型枠中から取り出す塊取出し装置と、前記塊取出し装置で型枠中から取り出された小塊を破砕する破砕装置と、前記破砕装置で破砕された塊を建屋の中から外に運び出すコンベア装置とからなることである。
【０００６】
前記目地切り板は、上から下に向かって尖った楔状の仕切り板が格子状に形成されてなり、該格子状の仕切り板の上部には当該仕切り板に振動を付与する振動装置が設けられていることを含むものである。
【０００７】
更に、前記仕切り板は、少なくとも塊に接する部分の一部が弾性材で形成されて、気体若しくは液体の充填によって膨張することを含むものである。
【考案の効果】
【０００８】
本考案の焼却石炭灰の処理システムによれば、塊を入れた型枠が無端状の軌道上を移動するので、従来のようにブレーカやショベルカー，ダンプカーなどの作業重機等がそれぞれ移動して作業するということが、本発明により不要となって、大規模な土地や建屋，通路等が不要となってコスト削減となる。
前記塊も予め目地切り板で小塊にされるので、容易に型枠から取り出すことができる。この目地切り板に振動装置を取り付ければ、目地切り板を型枠から取り出しやすくなる。仕切り板に膨張装置を設ければ更に塊との接触が断たれて、型枠から目地切り板を取り出すのは確実になる。
【図面の簡単な説明】
【０００９】
【図１】本考案に係る焼却石炭灰の処理システム１の全体平面図である。
【図２】同本考案の焼却石炭灰の処理システム１における型枠と仕切り板の使用状態における斜視図である。
【図３】塊を目地切り板で細分化した状態の型枠の斜視図（Ａ）と、型枠をしたから見た斜視図（Ｂ）とである。
【図４】細分化された塊をコンベアに乗せて破砕装置で破砕する様子を示す説明用概略分解斜視図である。
【考案を実施するための形態】
【００１０】
本考案に係る焼却石炭灰の処理システム１は、軌道上に型枠を移動させて、焼却石炭灰とセメントの塊を細分化して破砕するようにしたものである。
【実施例１】
【００１１】
本考案に係る焼却石炭灰の処理システム１は、図１に示すように、無端状の軌道２の上を駆動装置３によって一方向に移動され周回するもので焼却石炭灰とセメントを投入するために上部開口している型枠４と、前記型枠４の中に投入され混連された焼却石炭灰とセメントとの塊５が固まる前に該塊５を細分化する目地切り板６（図２（Ａ）参照）と、前記目地切り板６を前記型枠４に上部開口４ａから装着する目地切り板装着装置７と、前記目地切り板装着装置７から所要間隔を置いて配設され前記軌道２上における型枠４中の目地切り板６を取り出す目地切り板取出し装置８と、前記型枠４の中の細分化された塊（以下、小塊５ａという）を前記型枠４中から取り出す塊取出し装置９と、図４に示すように、前記塊取出し装置９で型枠４中から取り出され小塊５ａを破砕する破砕装置１０と、前記破砕装置１０で破砕された塊５ｂを建屋１２の中から外に運び出すコンベア装置１１とからなる。
【００１２】
前記軌道２は、図１に示すように、無端状で地盤上や床上に敷設されるレール等である。このほか、摺動自在な凹状の枠とすることもできる。駆動装置３は、チェーンやベルト、歯車によって型枠４を押したり引張ったりするようにするものである。
【００１３】
前記型枠４は、図２（Ａ），図３（Ｂ）に示すように、箱状のものであり、底面には、移動用の旋回自在なキャスターが複数個設けられている。なお、この型枠４のそれぞれに移動用の駆動装置３を設けるようにしてもよい。この型枠４が前記軌道２上を一方向に循環するものである。
【００１４】
前記焼却石炭灰とセメントとの塊５は、処理対象の火力発電所で排出される焼却石炭灰をセメント（若しくはモルタル）で固めてできるものである。この産業廃棄物の処理には、屋内で処理する必要がある。
【００１５】
前記目地切り板６は、図２（Ａ）に示すように、上から下に向かってテーパ状に尖った、楔形の仕切り板６ａが格子状に形成されてなり、該格子状の仕切り板６ａの上部には当該仕切り板６ａに振動を加える加振機である振動装置１５が設けられている。この仕切り板６ａの側面と塊５との摺接による摩擦抵抗が大きい場合に、前記振動装置１５で仕切り板６ａに振動を与えることで摺接面を減じて、目地切り板６を取り出しやすくするものである。
【００１６】
前記仕切り板６は、図２（Ｂ）に示すように、他の実施例として、少なくとも塊５に接する部分の一部が弾性材で形成されて、膨張装置１６からのエアー等の気体若しくは水等の液体の、仕切り板６内部への充填によって外側に膨らみ、膨張するものである。これによって、強制的に仕切り板６ａと小塊５ａとの摺接状態を断ち切るものである。
【００１７】
前記目地切り板装着装置７と、前記目地切り板取出し装置８とは、図１に示すように、所要の間隔を置いて配置される。その間隔の距離は、前記塊５のセメントが強度発現中でまだ固まらず、小割にされた小塊５ａの形状が維持できる状態で、目地切り板６を取り出すことができる距離である。前記目地切り板取出し装置８で型枠４からはずされた目地切り板６は、目地切り板戻し用コンベア１３で、前記目地切り板装着装置７へと戻される。
【００１８】
前記塊取出し装置９は、先端の尖った掴み用フォークで型枠４の中の小塊５ａを取り出して、図４に示す破砕用コンベア１４上に載せるものである。
【００１９】
前記破砕装置１０は、図４に示すように、多数のビットを有した回転ドラム１０ａを低速回転させて、前記小塊５ａを砕くものであり、スクリーン１０ｂの選択孔１０ｃから、破砕されて粒径が一定の大きさ以下のものが排出される。
【００２０】
前記破砕装置１０で破砕された塊５ｂは、コンベア装置１１によって建屋１２の外に運び出される。図１に示すように、産業廃棄物の処理なので、廃棄物の飛散などが考えられる処理工程においては、建屋１２，１２ａが設けられるものである。
【００２１】
以上のようにしてなる本発明の焼却石炭灰の処理システム１によれば、図１に示す建屋１２の中で、軌道２上の中央の型枠４に焼却石炭灰とセメントとを、該型枠４の全体体積の８割程度に投入して混練する。塊５が出来て、型枠４が右方向に移動し、目地切り板装着装置７によって、図２（Ａ）に示す目地切り板６が上部開口４ａから押し込まれて装着される。図３に示すように、前記塊５が小塊５ａになる。
【００２２】
前記型枠４は、軌道２上を図面右に移動して、目地切り板取出し装置８に到達したところで、前記目地切り板６が型枠４から取り出される。型枠４の中で小塊５ａがその形状を維持している。一方、前記取り外された目地切り板６は、目地切り板戻し用コンベア１３で目地切り板装着装置７へと戻される。
【００２３】
前記型枠４は、小塊５ａを乗せたまま、駆動装置３によって一方向に軌道２上を移動して、再び、建屋１２の中に入り、図１に示すように、塊取出し装置９で型枠４から小塊５ａが取りだされて、破砕用コンベア１４に載せられる。
【００２４】
こうして前記型枠４は、内部が空になり、再び、焼却石炭灰とセメントが投入されて、最初に戻る。前記破砕用コンベア１４に載せられた小塊５ａは、破砕装置１０によって、一定以下の粒径に破砕されて、コンベア装置１１で建屋１２の外に運ばれる。このようにして、廃棄物の処理が行われるものである。
【産業上の利用可能性】
【００２５】
本考案に係る焼却石炭灰の処理システムは、焼却石炭灰に限らず、他の産業廃棄物の処理にも適宜に適用できるものである。
【符号の説明】
【００２６】
１          焼却石炭灰の処理システム、
２          軌道、
３          駆動装置、
４          型枠、                        ４ａ          上部開口、
５          塊、                          ５ａ          小塊、
５ｂ        破砕された塊、  
６          目地切り板、                  ６ａ          仕切り板、
７          目地切り板装着装置、              
８          目地切り板取出し装置、            
９          塊取出し装置、
１０        破砕装置、                     １０ａ          回転ドラム、
１０ｂ      スクリーン、                  １０ｃ          選択孔、
１１        コンベア装置、
１２        建屋、                        １２ａ          建屋、
１３        目地切り板戻し用コンベア、
１４        破砕用コンベア、
１５        振動装置、
１６        膨張装置。
【図１】
0003169957.tif 000003
【図２】
0003169957.tif 000004
【図３】
0003169957.tif 000005
【図４】
0003169957.tif 000006